(57)【要約】【課題】箱体の内部にポケットティッシュを収納する際の作業を容易にし、箱体の内部に収容したポケットティッシュを上方に押上げるための弾性力を簡単な構造によって形成し、その弾性力を長期間にわたって維持することができる底上げティッシュボックスを提供する。【解決手段】ティッシュ取出口は折畳みティッシュ又は折畳みティッシュを収容した小袋をティッシュ取出口の上方から箱体の内部に押込むことができ、弾性部材は弾性且つ形状復元性を有する材質からなる長尺１枚の弾性薄板材料を断面略Ｍ字形に形成し、互いに略水平をなす上面部と下面部との間に形成された各折曲げ部は夫々が湾曲形状に折り返されることによって弾性且つ形状復元性を維持するようにした。【選択図】図１
0003160517.tif 000002
【実用新案登録請求の範囲】
【請求項１】
折畳みティッシュ又は折畳みティッシュを収容した小袋を横状に積み重ねて収納することができる箱体の上部にティッシュ取出口を形成すると共に、箱体の内部に折畳みティッシュ又は折畳みティッシュを収容した小袋を横状に積み重ねたものを支持して上方に付勢する弾性部材を収納し、該弾性部材によって押し上げられたティッシュをティッシュ取出口から一枚ずつ外方へ取り出すようにした底上げティッシュボックスにおいて、
ティッシュ取出口は折畳みティッシュ又は折畳みティッシュを収容した小袋をティッシュ取出口の上方から箱体の内部に押込むことができ、弾性部材は弾性且つ形状復元性を有する材質からなる長尺１枚の弾性薄板材料を断面略Ｍ字形に形成し、互いに略水平をなす上面部と下面部との間に形成された各折曲げ部は夫々が湾曲形状に折り返されることによって弾性且つ形状復元性を発揮し維持するようにしたことを特徴とする底上げティッシュボックス。
【請求項２】
弾性部材は、箱体の組立て後に該弾性部材を折り畳み方向へ圧縮した状態で箱体のティッシュ取出口から箱体内へ収納可能としたことを特徴とする請求項１記載の底上げティッシュボックス。
【請求項３】
弾性部材は、箱体を組み立てる際に箱体内へ収納するようにしたことを特徴とする請求項１記載の底上げティッシュボックス。
【請求項４】
箱体は、その構成部である天面部と四方の側面部と底面部とを形成した展開形状から組み立て可能であり、その展開形状は組立て前の展開形状で保管又は運搬が可能とされていることを特徴とする請求項１、２又は３記載の底上げティッシュボックス。
【請求項５】
箱体は、その構成部である天面部と四方の側面部と底面部とを、合成樹脂、木材、厚紙、石材又は金属等の硬質材料から固定した形状で形成してなることを特徴とする請求項１、２又は３記載の底上げティッシュボックス。
【考案の詳細な説明】
【技術分野】
【０００１】
本考案は、小型の折り畳みティシュを小袋に収容してなるポケットティッシュ（登録商標））を入手した際、袋から取り出したティッシュ又は袋入りの状態でボックス内に収納し、ティッシュを一枚ずつ取り出すことができる底上げティッシュボックスに関する。
【背景技術】
【０００２】
近時においては、路上や店頭等で宣伝用に配布しているポケットティッシュを入手する機会が多くなっている。このポケットティッシュは小型であるため、携帯性が良く、旅行等の際にも商店等で買い求めて使用することが可能である。
【０００３】
ところで、このようなポケットティッシュの保管方法としては、小袋に入れた状態で積み重ねておくか、適当な箱等に収納するのが一般的であり、部屋や引出し内に散在した状態となるのが現状であった。
【０００４】
このような事情に鑑みて、特許文献１には、紙取出し口を設けたティッシュボックスの両側面を開閉自在とし、箱の中に紙を折込んだ紙バネを収納してポケットティッシュの小袋を上面に押上げて紙取出し口からティッシュを取り出すように構成したポケットティッシュボックスが記載されている。
【０００５】
ところが、このポケットティッシュボックスは、ティッシュボックスの両側面を開くことによって箱の中にポケットティッシュの小袋を収納するようにしたものであり、箱の両側面の開閉作業が面倒であった。また、ティッシュボックスの両側面を開いた状態にすると、箱の形状が崩れてしまい、ポケットティッシュの小袋を収納する作業に手間を要することとなる。
【０００６】
さらに、特許文献１の箱内に収容する紙バネは、用紙を折り込むことによって形成したものであり、全体形状として鼓形をなすものである。具体的には、紙バネの組立て前の展開形状として、長形の用紙の中央に設けた押圧面の左右にバネを形成するための側面が設けられ、この左右の側面の外側に底面を形成するための半裁部分が設けられている。これを組み立てるには、各部の折り目に沿って折り、一方の半裁部分の端部に形成された爪を他方の半裁部分の面内に設けられた切込みに差し込むことによって組み立てるようにしている。
【０００７】
従って、この紙バネは、その組立てに手間を要するものであり、組立て後において、一方の半裁部分の爪が他方の半裁部分の切込みから抜け出ると、バネ性を発揮するための鼓形が容易に崩れてしまうという問題点がある。
【０００８】
また、特許文献１の紙バネは用紙により形成されたものを折り目に沿って折ったものであり、バネ性を発揮するために厚紙等を使用したとしても、この紙バネを上下方向に繰り返し伸縮すると、そのバネ性は比較的早期に失われることとなる。よって、特許文献１のポケットティッシュボックスでは、箱内において紙バネの上面に載置したポケットティッシュの小袋を弾性的に押上げる作用を長期間にわたって維持することが不可能である。
【先行技術文献】
【特許文献】
【０００９】
【特許文献１】実用新案登録第３１５２１０４号公報
【考案の概要】
【考案が解決しようとする課題】
【００１０】
本考案は、箱体の内部にポケットティッシュを収納する際の作業を容易にし、箱体の内部に収容したポケットティッシュを上方に押上げるための弾性力を簡単な構造によって形成し、その弾性力を長期間にわたって維持することができる底上げティッシュボックスを提供することを目的とする。
【課題を解決するための手段】
【００１１】
上記の目的を達成するために、本考案の請求項１の底上げティッシュボックスは、折畳みティッシュ又は折畳みティッシュを収容した小袋を横状に積み重ねて収納することができる箱体の上部にティッシュ取出口を形成すると共に、箱体の内部に折畳みティッシュ又は折畳みティッシュを収容した小袋を横状に積み重ねたものを支持して上方に付勢する弾性部材を収納し、該弾性部材によって押し上げられたティッシュをティッシュ取出口から一枚ずつ外方へ取り出すようにした底上げティッシュボックスにおいて、ティッシュ取出口は折畳みティッシュ又は折畳みティッシュを収容した小袋をティッシュ取出口の上方から箱体の内部に押込むことができ、弾性部材は弾性且つ形状復元性を有する材質からなる長尺１枚の弾性薄板材料を断面略Ｍ字形に形成し、互いに略水平をなす上面部と下面部との間に形成された各折曲げ部は夫々が湾曲形状に折り返されることによって弾性且つ形状復元性を発揮し維持するようにしたことを特徴とする。
【００１２】
また、本考案の請求項２の底上げティッシュポケットは、請求項１において、弾性部材は、箱体の組立て後に該弾性部材を折り畳み方向へ圧縮した状態で箱体のティッシュ取出口から箱体内へ収納可能としたことを特徴とする。
【００１３】
また、本考案の請求項３の底上げティッシュポケットは、請求項１において、弾性部材は、箱体を組み立てる際に開放した箇所から箱体内へ収納するようにしたことを特徴とする。
【００１４】
また、本考案の請求項４の底上げティッシュポケットは、請求項１、２又は３において、箱体は、その構成部である天面部と四方の側面部と底面部とを形成した展開形状から組み立て可能であり、その展開形状は組立て前の展開形状で保管又は運搬が可能とされていることを特徴とする。
【００１５】
さらに、本考案の請求項５の底上げティッシュポケットは、請求項１、２又は３において、箱体は、その構成部である天面部と四方の側面部と底面部とを、合成樹脂、木材、厚紙、石材又は金属等の硬質材料から固定した形状で形成してなることを特徴とする。
【考案の効果】
【００１６】
本考案の底上げティッシュボックスは、ポケットティッシュを入手した際、小袋から取り出したティッシュ、又はポケットティッシュを袋入りの状態でティッシュ取出口から指先で押込んで箱体内へ収納することが可能である。また、箱体内の弾性部材の上面部に支持されたポケットティッシュが弾性部材の弾性によって押上げられ、箱体の天面部に当接した状態になる。この状態で箱体のティッシュ取出口から露呈した最上のティッシュを摘み出すことによって、ボックス本体に収容したティッシュを一枚ずつ取り出すことが可能となる。
【００１７】
また、本考案の本考案の底上げティッシュボックスに使用する弾性部材は、弾性且つ形状復元性を有する材質からなる長尺１枚の弾性薄板材料を断面略Ｍ字形に形成し、互いに略水平をなす上面部と下面部との間に形成された各折曲げ部は夫々が湾曲形状に折り返されることによって弾性且つ形状復元性を発揮し維持することを可能としている。
【００１８】
この弾性部材は、該弾性部材を圧縮した状態で箱体のティッシュ取出口から挿入して箱体の内部に収納することが可能である。また、この弾性部材は、箱体を組み立てる際に箱体内へ収納することも可能である。
【００１９】
また、本考案の底上げティッシュボックスは、展開形状から箱体として組立てる構造とすることも可能である。この場合、箱体を展開形状で平状に潰した状態にして積層することが可能であり、保管や運搬を行う際に極めて利便であり、底上げティッシュボックスを廉価に製造することが可能となる。
【００２０】
さらに、本考案の底上げティッシュボックスは、箱体の構成部である天面部と四方の側面部と底面部とを、合成樹脂、木材、厚紙、石材又は金属等の硬質材料から固定した形状で形成することも可能である。この場合、各種の硬質材料の素材を生かした意匠性に優れた堅固な形状の箱体を得ることが可能となる。
【図面の簡単な説明】
【００２１】
【図１】本考案による実施例１の底上げティッシュボックスを示す斜視図である。
【図２】本考案による実施例１の底上げティッシュボックスの箱体の展開形状を示す平面図である。
【図３】本考案による実施例１の底上げティッシュボックスの箱体を接着した状態で平状に潰した状態を示す平面図である。
【図４】本考案による実施例１の底上げティッシュボックスに用いる弾性部材の斜視図である。
【図５】(ａ)〜（ｄ）は、本考案による実施例１の底上げティッシュボックスに使用する箱体の組み立て手順を示す斜視図である。
【図６】(ａ)〜（ｄ）は、本考案による実施例１の底上げティッシュボックスの箱体のティッシュ取出口から弾性部材を挿入している状況を示す説明図である。
【図７】（ａ）は本考案に係る小袋入りの複数のポケットティッシュの斜視図であり、（ｂ）は小袋から取り出した複数の折畳みティッシュの斜視図であり、（ｃ）はポケットティッシュを箱体の上部に載置した状況を示す斜視図であり、（ｄ）はポケットティッシュを指先で押込むことによってポケットティッシュを箱体のティッシュ取出口から内部へ挿入している状況を示す斜視図である。
【図８】（ａ）は本考案による実施例２の底上げティッシュボックスを示す斜視図であり、（ｂ）は(ａ)の箱体の内部にポケットティッシュを収納した状況を示す斜視図である。
【考案を実施するための形態】
【００２２】
以下、本考案の実施例について図面を参照しながら説明する。
【実施例１】
【００２３】
本考案の実施例１に係る底上げティッシュボックス１は、図１に示すように、折畳みティッシュＴ又は折畳みティッシュＴを小袋に収容したもの（以下、総称して「ポケットティッシュＰ」と称する）を横状に積み重ねて収納可能とした箱体２の上部にティッシュ取出口３を形成すると共に、箱体２の内部にポケットティッシュＰを横状に積み重ねたものを支持して上方に付勢する弾性部材４を収納したものである。そして、箱体２内にて弾性部材４によって押し上げられたティッシュＴをティッシュ取出口３から一枚ずつ外方へ取り出すことを可能としている。
【００２４】
本実施例１の底上げティッシュボックス１についてより詳細に述べると、箱体２は、図２に示すように、その構成部である天面部５と四方の側面部６と底面部７とを１枚の用紙を用いて形成した展開形状８から組み立て可能である。なお、本実施例の箱体２の材料は、用紙の他に、箱体２を展開形状に形成しうる紙材、合成樹脂材、金属、木材等による薄厚材によって形成することも可能である。
【００２５】
上記の箱体２の展開形状８について述べると、図２において、天面部５と底面部７とはポケットティッシュの平面形状と略同形の長方形であって僅かに大きい内寸を有し、天面部５には後述するティッシュ取出口３が形成されている。また、展開形状８は上記の天面部５と底面部７との間に第１側面部６（６ａ）を有し、さらに天面部５に隣設して第２側面部６（６ｂ）を有し、夫々の境界には折曲線９を形成している。また、この展開形状８には底面部７の延長部に折曲線９を介して接着面部１０が形成されている。さらに、第１側面部６（６ａ）と第２側面部６（６ｂ）の夫々の両側には折曲線９、９…を介して係止片１１、１１…を形成している。
【００２６】
また、上記の天面部５と底面部７の夫々の両側に残りの２面を成す差込片６ｃ、６ｃと受入片６ｄ、６ｄとを形成している。さらに、差込片６ｃ、６ｃの各先端部には円弧形の突出片１２、１２が形成され、受入片６ｄ、６ｄの先端付近の面内には切込線１３、１３が形成されている。このような構成において、展開形状８を箱体２に組み立てる際には、差込片６ｃ、６ｃの各突出片１２を受入片６ｄ、６ｄの各切込線１３に挿入することとなる。
【００２７】
上記の展開形状８を箱体２に組立てるには、図５(ａ)に示すように、天面部５、第１側面部６（６ａ）、底面部７、第２側面部６（６ｂ）を各折曲線９で互いに直角に折り曲げ、接着面部１０を第２側面部６（６ｂ）の端辺付近に沿って接着剤等で接着する。
【００２８】
図３は、上記のように接着面部１０を第２側面部６（６ｂ）の端辺付近に接着したものを平状に潰した状態にしたものである。本実施例の箱体２を保管したり、運送したりする際には、図２に示す展開形状８又は図３に示す接着後の展開形状８を潰した状態で積層することにより、保管又は運送する際の利便性を向上することが可能となる。
【００２９】
また、本実施例において箱体２に組み立てる際には、図３に示す接着後の展開形状８とした場合、箱体２に組み立てる際に接着作業を必要とせず、組立作業がより簡便となり、直ちに図５(ａ)に示す立方体形状とすることが可能となる。次いで、図５(ｂ)に示すように両側の差込片６ｃと両側の受入片６ｄと各係止片１１、１１…を各折曲線９、９…で折り曲げ、図５(ｃ)に示すように差込片６ｃの突出片１２を受入片６ｄの切込線１３に挿入することによって、図５（ｄ）に示す箱体２を組み立てることが可能となる。
【００３０】
なお、本実施例の底上げティッシボックス１は、上記の図２又は図３に示す以外の展開形状で構成することも可能である。例えば、箱体２の一側面において、例えば、差込片６ｃ又は受入片６ｄのいずれか一方が箱体２の一側面全体を覆う形状として箱体２を構成することも可能である。また、図２に示す突出片１２や切込線１３を形成するのではなく、接着材で固定するようにしてもよい。
【００３１】
また、本実施例において、図４に示すように、弾性部材４は弾性且つ形状復元性を有する材質からなる長尺１枚の弾性薄板材料を断面略Ｍ字形に形成し、これを互いに略水平をなす上面部４ａと下面部４ｂとに形成する。さらに、上面部４ａと下面部４ｂとの間に形成された各折曲げ部４ｃ、４ｃ…は夫々が湾曲形状に折り返されることによって弾性且つ形状復元性を発揮し維持することができるものとしている。
【００３２】
上記のように、弾性且つ形状復元性を有する弾性部材４の材質として、加工性やコストの低減等を考慮すると、ポリプロピレンを薄板に形成したものが適する。ただし、弾性部材４の材質としては、その他の合成樹脂板や金属板等を用いることも可能である。
【００３３】
この弾性薄板材料を薄板の長方形状に形成し、これを各折曲げ部４ｃで夫々湾曲形状に折り返す加工方法としては、各折曲げ部４ｃの内側に断面円形の棒部材（不図示）を当てて変形させることにより、各折曲げ部４ｃを図４に示すような円弧状の湾曲形状に折り返すことが可能となる。
【００３４】
なお、図４に示す各折曲げ部４ｃを湾曲形状ではなく、潰した形状の折り返し状態にして蛇腹状に引き伸ばすと、多少の弾性を有して伸縮するが、長期に亘って継続的に弾性及び伸縮性を有することは困難であり、本考案のように、各折曲げ部４ｃを湾曲形状に折り返すことによって弾性且つ形状復元性を維持することが可能となる。
【００３５】
さらに、本実施例の弾性部材４は、この弾性部材４をティッシュ取出口３から箱体２の内部へ収納することを可能としている。これは図６（ａ）に示すように、弾性部材４を手で摘むことによって折り畳み方向へ圧縮した状態にしてティッシュ取出口３から箱体２内へ収納する。また、弾性部材４は、図６(ｄ)に示すように、上面部４ａ及び下面部４ｂの形状を箱体２の天面部５と底面部７の形状に近似した形状にする共に、断面略Ｍ字形に形成する。このような形状によって、弾性部材４の伸縮状態によって上面部４ａと下面部４ｂとの中間に存在する折曲げ部４ｃの位置は変化するが、上面部４ａと下面部４ｂの面積は変化しない。従って、弾性部材４の下面部４ｂを箱体２内に安定して設置し、上面部４ａにポケットティッシュＰを横にして安定して載置することが可能となる。
【００３６】
上記のように、図６（ａ）に示すように、弾性部材４を手で摘むことによって折り畳み方向へ圧縮したときの短辺の幅がティッシュ取出口３の内側長径よりも短いものとする必要がある。このような構成により折り畳み方向へ圧縮した状態でティッシュ取出口３から箱体２内へ挿入した弾性部材４は、図６（ｂ）に示すように、圧縮状態を保った状態で直角方向に向きを変えることができる。そして、図６(ｃ)に示すように、底面部７の上面に倒し込むと、その後は、図６(ｄ)に示すように、弾性部材４が元来有する形状復元性によって、高さ方向へ伸長し、弾性部材４の上面部４ａが箱体２の天面部５に接近した状態となる。
【００３７】
なお、図６（ａ）に示すように、弾性部材４を折り畳み方向へ圧縮した状態でティッシュ取出口３から挿入する場合、この圧縮した弾性部材４の高さが箱体２の内寸の高さに収まる必要がある。ところが、箱体２の高さが低い場合、図６（ａ）に示すように弾性部材４を折り畳み方向へ圧縮した状態でティッシュ取出口３から挿入することが困難となる。このような場合、弾性部材４は、箱体２を組み立てる際に、箱体２の開放した箇所、例えば図５(ａ)の側部の開放箇所から箱体２内へ収納するとよい。
【００３８】
さらに、本実施例において、図７（ｄ）に示すように、箱体２の天面部５に形成されたティッシュ取出口３は、ポケットティッシュＰ、即ち、折畳みティッシュＴを小袋１４に収容したポケットティッシュＰ（図７（ａ）参照）または小袋１４から取り出した折畳みティッシュＴ（図７（ｂ）参照）を箱体２の内部に押込むことができる形状と広さを有するものである。このティッシュ取出口３の形状は、ポケットティッシュＰを箱体２内に収容すると共に弾性部材４の上方へ弾性的に押上げられた状態で、少なくともポケットティッシュＰの四方の長辺と四方の角部を押さえ込むことができる形状とする必要がある。このようなティッシュ取出口３の形状としては、図１等に示すように、スーパー楕円と呼ばれる形状とするのが好ましい。このスーパー楕円は、長方形と楕円を重ねてその中間点を結んで描いた形状といわれるものである。
【００３９】
上記のようなティッシュ取出口３の形状により、例えば、図７（ｃ）に示すように、ポケットティッシュＰを箱体２の天面部５の上面に載置し、このポケットティッシュＰの中央を図７（ｄ）に示すように手の指先で押込むことによって、ポケットティッシュＰは変形しながらティッシュ取出口３を経て箱体２の内部の弾性部材４の上面部４ａに載置され、弾性的に押上げられた状態となる。
【００４０】
本実施例の底上げティッシュボックス１は、上記のように構成されているため、図１に示すように、箱体２の内部に収容され弾性部材４によってティッシュ取出口３の近傍まで押し上げられたティッシュＴを一枚ずつ外方へ取り出すことができ、続いて、次の一枚のティッシュＴが突出状態となって取出し可能となる。
【実施例２】
【００４１】
本考案の実施例２に係る底上げティッシュボックス１において、その箱体２は、図８（ａ）に示すように、その構成部である天面部５と四方の側面部６と底面部７とを、合成樹脂、木材、厚紙、石材又は金属等の硬質材料から固定した形状で形成してなるものである。従って、この実施例の底上げティッシュボックス１は実施例１のように展開することはできないが、合成樹脂、木材、厚紙、石材又は金属等の硬質材料の素材を生かした意匠性に優れた堅固な形状の箱体２を得ることが可能となる。
【００４２】
また、この実施例の底上げティッシュボックス１を使用する際においても、図４に示したものと同様の弾性部材４を図６（ａ）〜（ｄ）と同様の方法でティッシュ取出口３から箱体２内に収納することができる。
【００４３】
また、本実施例においても、箱体２の天面部５に形成されたティッシュ取出口３からポケットティッシュＰ、即ち、折畳みティッシュＴを小袋に収容したポケットティッシュＰ（図７（ａ）参照）または小袋から取り出した折畳みティッシュＴ（図７（ｂ）参照）のいずれであっても図７(ｃ)又は（ｄ）に示すように、ティッシュ取出口３の上方から箱体２の内部へ押込むことができる。
【００４４】
さらに、図８（ｂ）に示すように、本実施例の底上げティッシュボックス１は、箱体２の内部に収容され弾性部材４によってティッシュ取出口３の近傍まで押し上げられたティッシュＴを一枚ずつ外方へ取り出すことができ、続いて、次の一枚のティッシュＴが突出状態となって取出し可能となる。
【産業上の利用可能性】
【００４５】
本考案の底上げティッシュボックスは、箱体の内部にポケットティッシュを収納する際の作業を容易にし、箱体の内部に収容したポケットティッシュを上方に押上げるための弾性力を簡単な構造によって形成し、その弾性力を長期間にわたって維持することができる底上げティッシュボックスとして使用することが可能である。
【符号の説明】
【００４６】
１  底上げティッシュボックス
２  箱体
３  ティッシュ取出口
４  弾性部材
４ａ  上面部
４ｂ  下面部
４ｃ  折曲げ部
５  天面部
６  側面部
６ａ  第１側面部
６ｂ  第２側面部
６ｃ  差込片
６ｄ  受入片
７  底面部
８  展開形状
９  折曲線
１０  接着面部
１１  係止片
１２  突出片
１３  切込線
１４  小袋
Ｐ  ポケットティッシュ
Ｔ  ティッシュ
【図１】
0003160517.tif 000003
【図２】
0003160517.tif 000004
【図３】
0003160517.tif 000005
【図４】
0003160517.tif 000006
【図５】
0003160517.tif 000007
【図６】
0003160517.tif 000008
【図７】
0003160517.tif 000009
【図８】
0003160517.tif 000010